(57)【要約】【課題】バックライトにおいて白色調に黄変が生じるのを抑制することができる液晶表示装置の提供。【解決手段】少なくとも、液晶表示パネルと、前記液晶表示パネルの一方の面側に配置されたバックライトとからなる液晶表示装置であって、  前記バックライトは、少なくとも、前記液晶表示パネルと対向する面内に並設された複数の蛍光ランプと、前記蛍光ランプのそれぞれを支持する筐体とから構成され、  前記筐体上に、複数の青色発光素子が散在して搭載され、前記青色発光素子のそれぞれは、平面的に観て、前記蛍光ランプの下方に前記蛍光ランプと重なりを有して配置されている。【選択図】  図１
2010205715.tif 000002
【特許請求の範囲】
【請求項１】
少なくとも、液晶表示パネルと、前記液晶表示パネルの一方の面側に配置されたバックライトとからなる液晶表示装置であって、
前記バックライトは、少なくとも、前記液晶表示パネルと対向する面内に並設された複数の蛍光ランプと、前記蛍光ランプのそれぞれを支持する筐体とから構成され、
前記筐体上に、複数の青色発光素子が散在して搭載され、前記青色発光素子のそれぞれは、平面的に観て、前記蛍光ランプの下方に前記蛍光ランプと重なりを有して配置されていることを特徴とする液晶表示装置。
【請求項２】
前記筐体の前記液晶表示パネル側の面に反射シートが配置され、前記青色発光素子のそれぞれは前記反射シートの上面に配置されていることを特徴とする請求項１に記載の液晶表示装置。
【請求項３】
前記筐体の前記液晶表示パネル側の面に反射シートが配置され、前記青色発光素子のそれぞれは前記筐体の上面に配置され、前記反射シートの前記青色発光素子と対向する部分に孔が形成されていることを特徴とする請求項１に記載の液晶表示装置。
【請求項４】
前記液晶表示パネルを透過させた前記バックライトからの光の色を検知できる光学センサを接続させることができ、
前記光学センサからの出力によって前記青色発光素子からの発光量を制御する制御回路が備えられていることを特徴とする請求項１に記載の液晶表示装置。
【請求項５】
前記制御回路は、高周波電圧のデューティ比の設定によって、前記青色素子からの発光量を制御することを特徴とする請求項４に記載の液晶表示装置。
【請求項６】
前記制御回路は、高周波電圧のデューティ比の設定によって、前記蛍光ランプの発光量を制御することを特徴とする請求項４に記載の液晶表示装置。
【請求項７】
前記筐体上に、前記蛍光ランプからの光の色を検知できる光学センサが搭載され、
前記光学センサからの出力によって前記青色発光素子からの発光量を制御する制御回路が備えられていることを特徴とする請求項１に記載の液晶表示装置。
【請求項８】
前記制御回路は、高周波電圧のデューティ比の設定によって、前記青色素子からの発光量を制御することを特徴とする請求項７に記載の液晶表示装置。
【請求項９】
前記制御回路は、高周波電圧のデューティ比の設定によって、前記蛍光ランプの発光量を制御することを特徴とする請求項７に記載の液晶表示装置。
【請求項１０】
前記液晶表示パネルは、カラー表示用の液晶表示パネルであることを特徴とする請求項１に記載の液晶表示装置。
【請求項１１】
前記液晶表示パネルは、モノクロ表示用の液晶表示パネルであることを特徴とする請求項１に記載の液晶表示装置。
【請求項１２】
前記複数の青色発光素子の出光方向は、前記液晶表示パネルが配置された方向であることを特徴とする請求項１に記載の液晶表示装置。
【請求項１３】
前記複数の青色発光素子の出光方向は、前記液晶表示パネルの主面と略平行な方向であることを特徴とする請求項１に記載の液晶表示装置。
【請求項１４】
前記出光方向は、前記複数の蛍光ランプの長手方向と略平行な方向であることを特徴とする請求項１３に記載の液晶表示装置。
【請求項１５】
前記出光方向は、前記複数の蛍光ランプの並設方向と略平行な方向であることを特徴とする請求項１３に記載の液晶表示装置。
【請求項１６】
前記複数の青色発光素子の少なくとも一つは、出光方向が前記液晶表示パネルの主面と略平行な方向であることを特徴とする請求項１に記載の液晶表示装置。
【請求項１７】
前記筐体の前記液晶表示パネル側には反射シートが配置され、前記青色発光素子のそれぞれは、前記筐体と前記反射シートとの間に配置されていることを特徴とする請求項１に記載の液晶表示装置。
【請求項１８】
前記反射シートの前記青色発光素子と対向する部分に孔が形成されていることを特徴とする請求項１７に記載の液晶表示装置。
【請求項１９】
前記筐は、前記液晶表示パネルとは反対側に突出する突起部を有し、
前記青色発光素子のそれぞれは、前記突起部の前記液晶表示パネル側に配置されていることを特徴とする請求項１７に記載の液晶表示装置。
【発明の詳細な説明】
【技術分野】
【０００１】
本発明は液晶表示装置に係り、特に、液晶表示パネルと、この液晶表示パネルの背面に配置されるバックライトを備える液晶表示装置に関する。
【背景技術】
【０００２】
液晶表示パネルは、その各画素の光透過量を独立に制御するように形成されているため、該液晶表示パネルの背面にバックライトを備えて構成されるのが通常である。
【０００３】
このようなバックライトとしては、たとえば直下型と称されるものが知られている。
【０００４】
直下型のバックライトは、液晶表示パネルと平行な平面内に、たとえば冷陰極蛍光ランプ等からなる光源が複数並設され、これら冷陰極蛍光ランプは内面に反射シート等が配置された筐体（フレーム）に支持されて構成されている（下記特許文献１参照）。
【０００５】
そして、特許文献１に示したもの以外では、たとえば特許文献２に示すように、冷陰極蛍光ランプとともに赤色、緑色、および青色の各光を発する複数の発光素子をも光源とするもので、これら各発光素子は、平面的に観て、各冷陰極蛍光ランプの間の領域に並設されて搭載されているものがある。バックライトのほぼ中央に設けた受光センサによって光の強さを計測し、その計測結果に基づいて色補正を行うことによって、各発光素子からの光を白色光に維持するように構成している。
【０００６】
また、たとえば特許文献３に示すように、直下型ではないが、いわゆるエッジライト型のバックライトにおいて、導光板と、この導光板の対向する一対の辺のそれぞれの側壁面に配置された冷陰極蛍光ランプと赤色を発する発光素子とを備え、冷陰極蛍光ランプの緑、青の方への偏りを前記発光素子によって補正するものがある。
【先行技術文献】
【特許文献】
【０００７】
【特許文献１】特開平６−７５２１６号公報
【特許文献２】特開２００７−２１４０５３号公報
【特許文献３】特開２００７−１３３４０７号公報
【発明の概要】
【発明が解決しようとする課題】
【０００８】
しかし、上述した直下型のバックライトは、その使用によって、白色調が黄変していく現象がみられる。該直下型のバックライトに用いられる冷陰極蛍光ランプは、通電すると該冷陰極蛍光ランプから発生する紫外線あるいは熱の影響を受け、白色調に黄変が生じるようになるからである。
【０００９】
このため、バックライトの光を透過させて認識される液晶表示パネルの画像表示においても、白色を表示すべき部分に黄変が生じることになる。
【００１０】
特許文献２に記載された技術の場合、冷陰極蛍光ランプの他に、赤色、緑色、および青色の各発光素子によっても光源を構成し、これら各色の発光素子からの光を白色に維持するものであり、冷陰極蛍光ランプの白色調の黄変を解消するものとなっていない。
【００１１】
また、特許文献３に記載された技術の場合、冷陰極蛍光ランプとともに赤色の発光素子を並設させ、冷陰極蛍光ランプの緑、青の方への偏りを前記発光素子によって補正するもので、冷陰極蛍光ランプの白色調の黄変を解消するものとなっていない。
【００１２】
本発明の目的は、バックライトにおいて白色調に黄変が生じるのを抑制することができる液晶表示装置を提供することにある。
【課題を解決するための手段】
【００１３】
本発明の液晶表示装置では、バックライトの蛍光ランプの黄変を青色発光素子の発光によって抑制させるようにしたものである。
【００１４】
本発明の構成は、たとえば、以下のようなものとすることができる。
【００１５】
（１）本発明の液晶表示装置は、少なくとも、液晶表示パネルと、前記液晶表示パネルの一方の面側に配置されたバックライトとからなる液晶表示装置であって、
前記バックライトは、少なくとも、前記液晶表示パネルと対向する面内に並設された複数の蛍光ランプと、前記蛍光ランプのそれぞれを支持する筐体とから構成され、
前記筐体上に、複数の青色発光素子が散在して搭載され、前記青色発光素子のそれぞれは、平面的に観て、前記蛍光ランプの下方に前記蛍光ランプと重なりを有して配置されていることを特徴とする。
【００１６】
（２）本発明の液晶表示装置は、（１）において、前記筐体の前記液晶表示パネル側の面に反射シートが配置され、前記青色発光素子のそれぞれは前記反射シートの上面に配置されていることを特徴とする。
【００１７】
（３）本発明の液晶表示装置は、（１）において、前記筐体の前記液晶表示パネル側の面に反射シートが配置され、前記青色発光素子のそれぞれは前記筐体の上面に配置され、前記反射シートの前記青色発光素子と対向する部分に孔が形成されていることを特徴とする。
【００１８】
（４）本発明の液晶表示装置は、（１）において、前記液晶表示パネルを透過させた前記バックライトからの光の色を検知できる光学センサを接続させることができ、
前記光学センサからの出力によって前記青色発光素子からの発光量を制御する制御回路が備えられていることを特徴とする。
【００１９】
（５）本発明の液晶表示装置は、（４）において、前記制御回路は、高周波電圧のデューティ比の設定によって、前記青色素子からの発光量を制御することを特徴とする。
【００２０】
（６）本発明の液晶表示装置は、（４）において、前記制御回路は、高周波電圧のデューティ比の設定によって、前記蛍光ランプの発光量を制御することを特徴とする。
【００２１】
（７）本発明の液晶表示装置は、（１）において、前記筐体上に、前記蛍光ランプからの光の色を検知できる光学センサが搭載され、
前記光学センサからの出力によって前記青色発光素子からの発光量を制御する制御回路が備えられていることを特徴とする。
【００２２】
（８）本発明の液晶表示装置は、（７）において、前記制御回路は、高周波電圧のデューティ比の設定によって、前記青色素子からの発光量を制御することを特徴とする。
【００２３】
（９）本発明の液晶表示装置は、（７）において、前記制御回路は、高周波電圧のデューティ比の設定によって、前記蛍光ランプの発光量を制御することを特徴とする。
【００２４】
（１０）本発明の液晶表示装置は、（１）において、前記液晶表示パネルは、カラー表示用の液晶表示パネルであることを特徴とする。
【００２５】
（１１）本発明の液晶表示装置は、（１）において、前記液晶表示パネルは、モノクロ表示用の液晶表示パネルであることを特徴とする。
【００２６】
（１２）本発明の液晶表示装置は、（１）において、前記複数の青色発光素子の出光方向は、前記液晶表示パネルが配置された方向であることを特徴とする。
【００２７】
（１３）本発明の液晶表示装置は、（１）において、前記複数の青色発光素子の出光方向は、前記液晶表示パネルの主面と略平行な方向であることを特徴とする。
【００２８】
（１４）本発明の液晶表示装置は、（１３）において、前記出光方向は、前記複数の蛍光ランプの長手方向と略平行な方向であることを特徴とする。
【００２９】
（１５）本発明の液晶表示装置は、（１３）において、前記出光方向は、前記複数の蛍光ランプの並設方向と略平行な方向であることを特徴とする。
【００３０】
（１６）本発明の液晶表示装置は、（１）において、前記複数の青色発光素子の少なくとも一つは、出光方向が前記液晶表示パネルの主面と略平行な方向であることを特徴とする。
【００３１】
（１７）本発明の液晶表示装置は、（１）において、前記筐体の前記液晶表示パネル側には反射シートが配置され、前記青色発光素子のそれぞれは、前記筐体と前記反射シートとの間に配置されていることを特徴とする。
【００３２】
（１８）本発明の液晶表示装置は、（１７）において、前記反射シートの前記青色発光素子と対向する部分に孔が形成されていることを特徴とする。
【００３３】
（１９）本発明の液晶表示装置は、（１）において、前記筐は、前記液晶表示パネルとは反対側に突出する突起部を有し、前記青色発光素子のそれぞれは、前記突起部の前記液晶表示パネル側に配置されていることを特徴とする。
【００３４】
なお、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００３５】
上述した構成の液晶表示装置によれば、バックライトにおいて白色調に黄変が生じるのを抑制することができる。
【００３６】
本発明のその他の効果については、明細書全体の記載から明らかにされる。
【図面の簡単な説明】
【００３７】
【図１】本発明の液晶表示装置の実施例１におけるバックライトの構成図である。
【図２】本発明の液晶表示装置の実施例１における分解した状態の平面図である。
【図３】本発明の液晶表示装置の実施例２におけるバックライトの断面図である。
【図４】本発明の液晶表示装置の実施例３におけるバックライトおよび制御回路の構成図である。
【図５】本発明の液晶表示装置の実施例４におけるバックライトの制御回路の構成図である。
【図６】本発明の液晶表示装置の実施例７における青色発光素子の出光方向を示す図である。
【図７】本発明の液晶表示装置の実施例７における図６とは異なる青色発光素子の出光方向を示す図である。
【図８】本発明の液晶表示装置の実施例８におけるバックライトの断面図である。
【図９】本発明の液晶表示装置の実施例８におけるフレームの形状を示す図である。
【発明を実施するための形態】
【００３８】
本発明の実施例を図面を参照しながら説明する。なお、各図および各実施例において、同一または類似の構成要素には同じ符号を付し、説明を省略する。
【実施例１】
【００３９】
図２は、本発明の液晶表示装置の実施例１を分解した状態で示す平面図である。
【００４０】
液晶表示装置は、観察者側（紙面表側）から、液晶表示パネルＰＮＬ、光学シートＯＳ、およびバックライトＢＬの順で配置されている。
【００４１】
液晶表示パネルＰＮＬは、液晶を挟持して対向配置される基板ＳＵＢ１と基板ＳＵＢ２とで外囲器を構成するようになっている。基板ＳＵＢ１と基板ＳＵＢ２は、これら基板ＳＵＢ１と基板ＳＵＢ２の周辺に形成される環状のシール材ＳＬによって固着され、該シール材ＳＬは前記液晶を封入する機能をも有している。シール材ＳＬによって囲まれた領域は表示領域ＡＲを構成し、この表示領域ＡＲにおける基板ＳＵＢ１と基板ＳＵＢ２のそれぞれの液晶側の面には、該液晶ＬＣを一構成要素とする画素（図示せず）がマトリックス状に複数形成されている。これら画素は、それぞれ独立に光透過率が制御されるようになっている。
【００４２】
光学シールＯＳは、たとえばプリズムシート、拡散シート、あるいはこれらプリズムシートおよび拡散シートを重ね合わせたものが用いられ、後述のバックライトＢＬからの光を集光あるは拡散させた後に液晶表示パネルＰＮＬ側に導くようになっている。
【００４３】
バックライトＢＬは、液晶表示パネルＰＮＬと平行な平面内に、複数（図ではたとえば５個）の並設された冷陰極蛍光ランプＦＬを備えて構成されている。それぞれの冷陰極蛍光ランプＦＬは、その管軸をたとえば図中ｘ方向に一致づけ、図中ｙ方向にたとえば等間隔に並設されている。それぞれの冷陰極蛍光ランプＦＬは、液晶表示パネルＰＮＬと対向して配置されるフレーム（筐体）ＦＲＭに図示しない支持具を介して支持され、両端に形成されている電極（図示せず）から電源が供給されて発光するようになっている。また、冷陰極蛍光ランプＦＬの図中下方であってフレームＦＲＭの表面には反射シートＲＳ（図１（ｂ）参照）が該フレームＦＲＭを被って配置され、この反射シートＲＳによって、冷陰極蛍光ランプＦＬからフレームＦＲＭ側ヘ照射される光を液晶表示パネルＰＮＬ側へ反射させるようになっている。
【００４４】
なお、上述した液晶表示パネルＰＮＬ、光学シートＯＳ、およびバックライトＢＬは、図示しない上フレーム、中フレーム、前記フレームＦＲＭ（下フレーム）を用いてモジュール化され、液晶表示装置を構成するようになっている。
【００４５】
また、図２では、図示されていないが、バックライトＢＬには、前記冷陰極蛍光ランプＦＬ以外の光源として青色発光素子を備えて構成されている。図１（ａ）は、図２に示した前記バックライトＢＬを抜き出して描いた平面図である。また、図１（ｂ）は、図１（ａ）のIｂ−Iｂ線における断面図となっている。
【００４６】
図１（ａ）、（ｂ）において、青色発光素子ＢＥＬは、反射シートＲＳ上に配置され、
平面的に観た場合、それぞれの冷陰極蛍光ランプＦＬと重なりを有するように配置されている。青色発光素子ＢＥＬは、一個の冷陰極蛍光ランプＦＬに対し、たとえば、一端側の近傍、ほぼ中央、他端側の近傍に３個配置されている。これにより、青色発光素子ＢＥＬのそれぞれは、バックライトＢＬの光源面において、ほぼ均一に散在されて配置されるようになる。
【００４７】
冷陰極蛍光ランプＦＬは、通電すると該冷陰極蛍光ランプＦＬから発生する紫外線あるいは熱の影響を受け、白色調に黄変が生じるようになることは上述した通りであり、前記青色発光素子ＢＥＬは、その点灯によって、冷陰極蛍光ランプＦＬの黄変を青色光によって相殺させて白色光とする機能をもたせるようになっている。
【００４８】
このことから、該青色発光素子ＢＥＬによる冷陰極蛍光ランプＦＬの黄変の相殺の効果を良好ならしめるため、該青色発光素子ＢＥＬはなるべく冷陰極蛍光ランプＦＬに近接させて配置させるのが好ましい。このため、図１（ａ）に示すように、青色発光素子ＢＥＬのそれぞれは、平面的に観て、冷陰極蛍光ランプＦＬの下方に該冷陰極蛍光ランプＦＬと重なりを有して配置させるようにしている。この場合、青色発光素子ＢＥＬは冷陰極蛍光ランプＦＬと重なりを有して配置されていれば、その一部が冷陰極蛍光ランプＦＬから露出されていてもよい。
【実施例２】
【００４９】
図３は、本発明の液晶表示装置の実施例２を示す断面図で、図１（ｂ）と対応して描かれた図である。
【００５０】
図３において、図１（ｂ）の場合と比較して異なる構成は、青色発光素子ＢＥＬのそれぞれはフレームＦＲＭの上面に配置され、該フレームＦＲＭ上を被って配置される前記反射シートＲＳには、青色発光素子ＢＥＬと対向する部分に孔ＨＬが形成されていることにある。
【００５１】
このような構成は、青色発光素子ＢＥＬをたとえフレームＦＲＭ上に直接配置せざるを得ない場合にあっても、青色発光素子ＢＥＬからの光を反射シートＳＲによって妨げられず、冷陰極蛍光ランプＦＬ側へ照射でき、該冷陰極蛍光ランプＦＬの黄変を相殺するようにできる。
【実施例３】
【００５２】
図４（ａ）は、本発明の液晶表示装置の実施例３を示す平面図で、図１（ａ）と対応して描かれた図である。
【００５３】
図４（ａ）において、図１（ａ）の場合と比較して異なる構成は、まず、バックライトＢＬのほぼ中央に、光の色を検知できる光学センサＬＳＮを備えていることにある。この光学センサＬＳＮは、冷陰極蛍光ランプＦＬが配置されていない箇所にたとえば４個近接して配置させている。これら光学センサＬＳＮは、冷陰極蛍光ランプＦＬおよび青色発光素子ＢＥＬの混合された光の色を検知するように構成され、たとえば４個の光学センサＬＳＮのそれぞれの出力の平均をとった値で、前記色の検出値とするようになっている。光学センサＬＳＮによって得られた検出値から、黄色を検出した場合に、青色発光素子ＢＥＬの発光量を前記検出値に応じて制御し、結果として、冷陰極蛍光ランプＦＬおよび青色発光素子ＢＥＬの混合された光の色を白色となるようにしている。
【００５４】
図４（ｂ）は、光学センサＬＳＮの検出値によって、青色発光素子ＢＥＬの発光量を制御する回路を示している。
【００５５】
なお、図４（ｂ）に示す回路は、たとえば、ユーザによって設定される入力手段ＵＣによって、冷陰極蛍光ランプＦＬの発光量（輝度）の制御を行うインバータＩＮＶ（制御回路）を備えて構成されている。ここで、冷陰極蛍光ランプＦＬの駆動は、たとえば、高周波電圧のデューティ比の設定でなされるＰＷＭ（Pulse Width Modulation）方式が採用されている。ＰＷＭ方式は、たとえば、パルス波のデューティ比を変化させて変調する変調方式をいい、デューティ比とは周期的なパルス波を出したときの周期とパルス幅の比をいう。冷陰極蛍光ランプＦＬは高周波駆動によって点灯されることから、時間経過にともなって断続的に高周波電圧が印加される場合、その周期Ｔと高周波電圧が印加されている期間τとの比：τ／Ｔが高周波電圧のデューティ比となる。冷陰極蛍光ランプＦＬはこのデューティ比を変えて高周波電圧を印加することによって、該デューティ比に応じた輝度で点灯できるようになる。
【００５６】
そして、青色発光素子ＢＥＬの駆動も、たとえば、冷陰極蛍光ランプＦＬと同様に、高周波電圧のデューティ比によって行われるようになっている。すなわち、光学センサＬＳＮは、バックライトＢＬからの光（冷陰極蛍光ランプＦＬおよび青色発光素子ＢＥＬからの光）を検知し、その検出値をインバータＩＮＶに送出するようになっている。インバータＩＮＶでは、前記検出値に対応した高周波電圧のデューティ比を設定し、この設定されたデューティ比の高周波電圧を青色発光素子ＢＥＬに印加するようになっている。高周波電圧の前記デューティ比に対応する青色発光素子ＢＥＬの発光量は、冷陰極蛍光ランプＦＬに生じた黄変を減少させ白色光になるように作用するようになる。
【００５７】
このように構成された液晶表示装置は、冷陰極蛍光ランプＦＬの黄変を自動的に抑制することができる。したがって、該冷陰極蛍光ランプＦＬが、その紫外線あるいは熱の影響を受けるようなことがあったとしても、バックライトＢＬの光として、常時、白色光を得ることができるようになる。
【実施例４】
【００５８】
図５は、本発明の液晶表示装置の実施例４を示す平面図で、図４（ｂ）と対応して描かれた図である。
【００５９】
図５において、図４（ｂ）の場合と比較して異なる部分は、まず、バックライトＢＬに、図４（ａ）に示したような光センサＬＳＮが備えられていない構成となっている。そして、必要に応じて、インバータＩＮＶに光センサＬＳＮ'を接続できるようになっており、該光センサＬＳＮ'は、たとえば、液晶表示パネルＰＮＬを通したバックライトＢＬの光を検出できるようになっている。インバータＩＮＶの動作は、前記光センサＬＳＮ'を該インバータＩＮＶに接続した後は、実施例３に説明したと同様となっている。このことから、この実施例では、必要に応じて、ユーザ側でモニタし、青色発光素子ＢＥＬのデューティ比の調整を行うことができるようになっている。
【実施例５】
【００６０】
上述した実施例のそれぞれにおいて、液晶表示パネルＰＮＬは、カラー表示用のものであっても、モノクロ表示用のものであってもよい。この場合、本発明の適用は、モノクロ表示用の場合において、極めて効果的となる。カラー表示用の液晶表示パネルＰＮＬの場合、冷陰極ランプＦＬの黄変を、たとえば、カラー表示の三原色であるＲ（赤）、Ｇ（緑）、Ｂ（青）を担当する各画素の階調を変更することによっても低減できる方法がある。しかし、モノクロ表示用の場合は、上述した方法は採用できず、バックライトＢＬからの光において黄変を抑制することしか術がないからである。
【実施例６】
【００６１】
上述した実施例のそれぞれは、バックライトＢＬの光源として冷陰極蛍光ランプを用いたものである。しかし、この冷陰極蛍光ランプに限定されることはなく、他の蛍光ランプであってもよい。冷陰極蛍光ランプ以外の他の蛍光ランプであっても、それから発生する紫外線あるいは熱の影響を受け、白色調に黄変が生じる傾向を有するからである。
【実施例７】
【００６２】
上述した実施例のそれぞれにおいて、青色発光素子ＢＥＬとしてサイドエミッタタイプの発光ダイオード（ＬＥＤ）を用いてもよいし、トップエミッタタイプの発光ダイオード（ＬＥＤ）を用いても良い。
【００６３】
図６は、青色発光素子ＢＥＬとしてサイドエミッタタイプの発光ダイオード（ＬＥＤ）を用いた場合の、青色発光素子ＢＥＬの出光方向ＤＬＥを示す図である。図６において、青色発光素子ＢＥＬの出光方向ＤＬＥは、図示しない液晶表示パネルＰＮＬ（図２を参照）の主面と略平行な方向である。
【００６４】
図６において、出光方向ＤＬＥを液晶表示パネルＰＮＬの主面と略平行な方向にすることにより、青色発光素子ＢＥＬの光が直接液晶表示パネルＰＮＬ側に照射されなくなる。これにより、液晶表示パネルＰＮＬの表示領域において、局所的に青色が強調される領域が発生することを防ぐことができる。よって、自然な色変化をさせることができ、より大きな、冷陰極蛍光ランプＦＬの黄変の相殺の効果を得ることができる。
【００６５】
従って、上述した実施例のそれぞれにおいては、青色発光素子ＢＥＬとして、液晶表示パネルＰＮＬの主面と略平行な方向に出光するサイドエミッタタイプの発光ダイオード（ＬＥＤ）を用いることが望ましい。サイドエミッタタイプであれば、発光ダイオード（ＬＥＤ）以外の発光素子でもよいことはもちろんである。
【００６６】
尚、青色発光素子ＢＥＬの出光方向ＤＬＥは、冷陰極蛍光ランプＦＬの長手方向と略平行な方向でもよいし、複数の冷陰極蛍光ランプＦＬの並設方向でもよい。また、複数の青色発光素子ＢＥＬのうち、一部がサイドエミッタタイプであっても上記効果が得られる。
【００６７】
図７は、青色発光素子ＢＥＬとしてトップエミッタタイプの発光ダイオード（ＬＥＤ）を用いた場合の、青色発光素子ＢＥＬの出光方向ＤＬＥを示す図である。図７において、青色発光素子ＢＥＬの出光方向ＤＬＥは、図示しない液晶表示パネルＰＮＬ（図２を参照）が配置された方向である。
【００６８】
図７に示すようにトップエミッタタイプの発光ダイオード（ＬＥＤ）を用いた場合でも、冷陰極蛍光ランプＦＬの黄変の相殺の効果を得ることができる。上述した実施例のそれぞれにおいて、青色発光素子ＢＥＬのそれぞれは、平面的に観て、冷陰極蛍光ランプＦＬの下方に該冷陰極蛍光ランプＦＬと重なりを有して配置させるようにしているからである。トップエミッタタイプであれば、発光ダイオード（ＬＥＤ）以外の発光素子でもよいことはもちろんである。
【実施例８】
【００６９】
図８は、本発明の液晶表示装置の実施例８を示す断面図で、図１（ｂ）と対応して描かれた図である。
【００７０】
図８において、青色発光素子ＢＥＬのそれぞれはフレームＦＲＭと反射シートＲＳの間に配置されている。反射シートＲＳには、青色発光素子ＢＥＬと対向する部分に孔ＨＬが形成されている。尚、この孔ＨＬは形成されていなくてもよい。
【００７１】
このような構成により、液晶表示パネルＰＮＬの表示領域において、局所的に青色が強調される領域が発生することを防ぐことができる。よって、自然な色変化をさせることができる。
【００７２】
また、実施例８に構成において、トップエミッタタイプの青色発光素子ＢＥＬを用いた場合は、フレームＦＲＭに液晶表示パネルとは反対側に突出する突起部ＰＲＯを設け、そこに青色発光素子ＢＥＬを配置しても良い。図９は、図８の点線で囲まれた部分の拡大図であり、上記の突起部ＰＲＯを示す図である。
【００７３】
このような構成により、図示しない青色発光素子ＢＥＬの配線基板を隠し、配線基板による反射効率低下を防ぐことができる。また、青色発光素子ＢＥＬから発生する熱を放熱させる効果も有する。
【００７４】
以上、本発明を実施例を用いて説明してきたが、これまでの各実施例で説明した構成はあくまで一例であり、本発明は、技術思想を逸脱しない範囲内で適宜変更が可能である。また、それぞれの実施例で説明した構成は、互いに矛盾しない限り、組み合わせて用いてもよい。
【符号の説明】
【００７５】
ＰＮＬ……液晶表示パネル、ＯＳ……光学シート、ＢＬ……バックライト、ＳＵＢ１、ＳＵＢ２……基板、ＳＬ……シール材、ＡＲ……表示領域、ＦＬ……冷陰極蛍光ランプ、ＢＥＬ……青色発光素子、ＲＳ……反射シート、ＦＲＭ……フレーム（筐体）、ＨＬ……孔、ＬＳＮ、ＬＳＮ'……光センサ、ＩＮＢ……インバータ、ＵＣ……入力手段、ＤＬＥ……出光方向、ＰＲＯ……突起部。
【図１】
2010205715.tif 000003
【図２】
2010205715.tif 000004
【図３】
2010205715.tif 000005
【図４】
2010205715.tif 000006
【図５】
2010205715.tif 000007
【図６】
2010205715.tif 000008
【図７】
2010205715.tif 000009
【図８】
2010205715.tif 000010
【図９】
2010205715.tif 000011